(57)【要約】【課題】足のむくみ、疲れをほぐす。【解決手段】基板１上にエアーバッグ２を載置し、該エアーバッグ２の周囲を基板１と枠板３で挟持すると共に、エアーバッグ２に給排気ポンプ１０を接続し、エアーバッグ２の表面に突起５、５ａ…を設けることによって、枠板３中央の開口部４から覗かせたエアーバッグ２上に足を載置し、エアーの給排気で膨張収縮するエアーバッグ２表面の突起５、５ａ…で足裏のツボを刺激する。【選択図】　　　　図１
0003097765.tif 000002
【実用新案登録請求の範囲】
【請求項１】
基板上にエアーバッグを載置し、該エアーバッグの周囲を基板と枠板で挟持すると共に、エアーバッグに給排気ポンプを接続し、エアーバッグの表面に突起を設けたことを特徴とするマッサージ器。
【請求項２】
エアーバッグの表面にして枠板の内周縁部の下方部位に凹溝を設け、該凹溝の形成部位におけるエアーバッグの肉厚を他の部位より薄く形成したことを特徴とする請求項１記載のマッサージ器。
【考案の詳細な説明】
【０００１】
【考案の属する技術分野】
本考案は、足裏のツボを刺激するマッサージ器に関する。
【０００２】
【従来の技術】
従来、マッサージ器には、各種のものが見受けられるが、例えば、脛とふくら脛を覆う筒体の内側にエアーバッグを周設し、該エアーバッグに連通させたエアーポンプで給排気し、エアーバッグを膨張収縮させることで、ふくら脛を揉みほぐす様にしたマッサージ器が提供されている。
【０００３】
【考案が解決しようとする課題】
ところが、上記従来技術のマッサージ器は、ふくら脛周辺を揉みほぐすことは出来るとしても、足の疲れを癒すために不可欠とされている足裏のツボに刺激を与えることは出来ず、十分なマッサージ効果が得られなかった。
【０００４】
【課題を解決するための手段】
本考案は、上記課題に鑑み、基板上にエアーバッグを載置し、該エアーバッグの周囲を基板と枠板で挟持すると共に、エアーバッグに給排気ポンプを接続し、エアーバッグの表面に突起を設けることによって、枠板中央の開口部から覗かせたエアーバッグ上に足を載置し、エアーの給排気で膨張収縮するエアーバッグ表面の突起で足裏のツボを刺激する様にして、上記課題を解決する。
【０００５】
【考案の実施の形態】
以下、本考案の一実施例を図面に基づいて説明する。
図１〜４に示す様に、本考案に係るマッサージ器は、基板１とエアーバッグ２、枠板３で構成し、基板１は足形に形成している。
【０００６】
エアーバッグ２は、ゴム等の可撓性素材で形成した足形大のものにして、該エアーバッグ２を基板１上に載置し、該エアーバッグ２の周囲を基板１と枠板３で挟持している。
枠板３は基板１と同形同大に形成し、中央に足形の開口部４を設けている。
又、エアーバッグ２の表面には突起５、５ａ…を多数設け、該突起５、５ａ…は足裏のツボに一致する位置としている。
そして、突起５、５ａ…は親指と薬指の付け根付近、及び踵に対応する部位を他の部位より大きく形成している。
６、６ａは、環状突起にして、前記突起５、５ａ…の周囲に設けている。
７は、エアーバッグ２の中央部、且つ土踏まずに対応させて設けた山部にして、該山部７の側面には給排気口８を設けると共に、該給排気口８にはエアーホース９を取付けている。
【０００７】
１０は、操作器１１に取付けた給排気ポンプにして、前記エアーホース９を給排気ポンプ１０に接続している。
１２は、エアーバッグ２の表面に設けた凹溝にして、該凹溝１２は枠板３の内周縁部１３の下方部位に位置し、凹溝１２の形成部位におけるエアーバッグ２の肉厚を他の部位の肉厚より薄く形成している。
【０００８】
１４、１４ａ　、１５、１５ａ　は枠板３の前後左右両側に設けたベルトにして、該ベルト１４、１４ａ　、１５、１５ａ　の先端部には面ファスナー１６、１６ａ　を夫々設け、前部ベルト１４、１４ａ　同士、並びに後部ベルト１５、１５ａ　同士を相互に着脱自在としている。
１７は、後部ベルト１５、１５ａ　の後側根元付近に掛け渡した踵押さえである。
尚、本実施例では枠板３にベルト１４、１４ａ　、１５、１５ａ　を設けているが、ベルト１４、１４ａ　、１５、１５ａ　を基板１に設ける様にしても良い。
又、本考案に係るマッサージ器は筒体の内側にエアーバッグを周設したふくら脛アタッチメント１８を併用しても良く、ふくら脛アタッチメント１８のエアーバッグを給排気ポンプ１０と連通させている。
【０００９】
次に本考案に係るマッサージ器の作用について説明する。
エアーバッグ２に足を載せて、山部７を土踏まずの窪みに合わせると、足裏の各ツボと突起５、５ａ…の夫々が一致する。
【００１０】
給排気ポンプ１０を稼働させて、エアーバッグ２にエアーを送り込む。
すると、萎んでいたエアーバッグ２は次第に膨張するが、基板１と枠板３で膨張方向が規制されているため、エアーバッグ２の表面は上昇し、枠板３の開口部４から押し出される。
又、凹溝１２の底部は上方に位置する枠板３の内周縁部１３に当接する。
その後、エアーバッグ２の容積を超えて、更にエアーを充填すると、エアーバッグ２の内圧は高まり、内側からエアーバッグ２全体を更に押し広げようとするが、凹溝１２の形成部位がその他の部位より薄く形成されていることと、枠板３の内周縁部１３に押さえられていることから、凹溝１２の形成部位はエアーバッグ２の中央部分より伸び易く、エアーバッグ２は大きく湾曲することなく、ゆるやかな湾曲状態が保たれたまま、凹溝１２の形成部位が主に伸びて上昇する。
【００１１】
【考案の効果】
要するに本考案は、基板１上にエアーバッグ２を載置し、該エアーバッグ２の周囲を基板１と枠板３で挟持すると共に、エアーバッグ２に給排気ポンプ１０を接続したので、エアーバッグ２の膨張方向を規制して、枠板３の開口部４からエアーバッグ２を出没させることが出来る。
又、エアーバッグ２の表面に突起５、５ａ…を設けたので、突起５、５ａ…で足裏のツボを刺激し、足裏を揉みほぐして、血液やリンパ液の流れを良好にして、足の疲れ、むくみを解消することが出来るだけでなく、心地良い適度な刺激で安堵感を与えて、心身を共に健康にすることが出来る。
又、基板１又は枠板３に脚部拘束用のベルト１４、１４ａ　、１５、１５ａ　を設ければ、マッサージ器を足に固定でき、足裏を強くエアーバッグ２に押し付けなくても、椅子に座ったまま、足裏のツボに適度の刺激を与えることが出来る。
尚、ふくら脛アタッチメント１８と併用した場合は、操作器１１がマッサージ器のエアーバッグ２と、ふくら脛アタッチメント１８のエアーバッグを順次、膨張収縮させる様に給排気を制御し、脚部の先から順に押圧されて、足先から心臓へ押し戻す血液の流れが一層良好となり、足マッサージ効果が格段に向上する。
【００１２】
エアーバッグ２の表面にして枠板３の内周縁部１３の下方部位に凹溝１２を設けたので、エアーバッグ２の膨張時に凹溝１２の底部が枠板３の内周縁部１３に引っ掛かり、又凹溝１２の形成部位におけるエアーバッグ２の肉厚を他の部位より薄く形成したので、エアーの圧力で上昇するエアーバッグ２の中央部に引っ張られて主に凹溝１２の形成部位が伸張するため、エアーバッグ２をゆるやかに湾曲した状態のまま上昇させることが出来、よって、各突起５、５ａ…の頭部の高低差を、エアーバッグ２の中央部と外周近傍部間で少なくして、足裏全体の各ツボに略均一な押圧力を与えることが出来る等その実用的効果甚だ大である。
【図面の簡単な説明】
【図１】本考案に係るマッサージ器の使用状態図である。
【図２】マッサージ器の平面図である。
【図３】収縮状態のエアーバッグの縦断面図である。
【図４】膨張状態のエアーバッグの縦断面図である。
【符号の説明】
１　　　　基板
２　　　　エアーバッグ
３　　　　枠板
５、５ａ…　突起
１０　　　　給排気ポンプ
１２　　　　凹溝
１３　　　　周縁部
【図１】
0003097765.tif 000003
【図２】
0003097765.tif 000004
【図３】
0003097765.tif 000005
【図４】
0003097765.tif 000006